(57)【要約】【課題】外部メディアの装着に関して不必要な通知を行わないようにすること。【解決手段】外部メディア処理装置１は、外部メディア２を着脱可能な受部４０を複数備える。制御部５０は、電源オフ時に受部４０に装着されている外部メディア２の識別情報を記憶部５４に記憶させる識別情報管理部５６を備える。また、制御部５０は、起動時に受部４０に外部メディア２が装着されていることを検出した場合に、記憶部５４に記憶されている識別情報と、受部４０に装着されている外部メディア２から取得した識別情報とを照合する判断部５７を備えるとともに、照合結果に基づいて外部メディア２の装着通知を行う通知部５８を備える。通知部５８は、識別情報が一致する場合は装着通知を行わず、一致しない場合に装着通知を行う。【選択図】図４
2018124611.tif 000002
【特許請求の範囲】
【請求項１】
外部メディアを着脱可能な受部と、
前記外部メディアの識別情報を記憶する記憶部と、
起動時に前記受部に装着されている前記外部メディアの識別情報が、前記記憶部が記憶している識別情報と同一であるか否かの判断を行う判断部と、
起動時に前記受部に装着されている前記外部メディアの識別情報が、前記記憶部が記憶している識別情報と同一である場合は前記外部メディアの装着通知を行わず、同一でない場合は前記装着通知を行う通知部と、を備える外部メディア処理装置。
【請求項２】
前記識別情報は、前記外部メディアに記憶されるデータファイルのチェックサムである請求項１に記載の外部メディア処理装置。
【請求項３】
前記通知部は、通常動作中に前記外部メディアが新たに装着された場合は、前記装着通知を行う請求項１または２に記載の外部メディア処理装置。
【請求項４】
前記受部を複数備え、
前記記憶部は、前記受部に対応付けて前記識別情報を記憶し、
前記判断部は、前記受部毎に前記判断を行う請求項１から３の何れか一項に記載の外部メディア処理装置。
【請求項５】
電源オフ時に、前記受部に装着されている前記外部メディアの前記識別情報を前記記憶部に記憶させる請求項１から４の何れか一項に記載の外部メディア処理装置。
【請求項６】
受部に装着された外部メディアと通信可能なコンピューターを動作させるプログラムであって、
コンピューターの起動時に前記受部に装着されている前記外部メディアと通信を行い、該外部メディアの識別情報が、予め記憶している識別情報と同一であるか否かの判断を行う判断処理と、
コンピューターの起動時に前記受部に装着されている前記外部メディアの識別情報が、記憶部が記憶している識別情報と同一である場合は前記外部メディアの装着通知を行わず、同一でない場合は前記装着通知を行う通知処理と、をコンピューターに実行させるプログラム。
【発明の詳細な説明】
【技術分野】
【０００１】
本発明は、外部メディアを着脱可能な外部メディア処理装置およびプログラムに関する。
【背景技術】
【０００２】
外部メディアを着脱可能なＵＳＢポートやカードスロット等を備えた装置において、外部メディアがＵＳＢポートに装着あるいはカードスロットに挿入されると外部メディアの認識が行われ、外部メディアが装着あるいは挿入されたことをユーザーに通知する装着通知が行われる。例えば、装着通知として、操作パネルやディスプレイに通知メッセージを表示したり、外部メディアに記憶されたデータファイルを取り扱うためのメニュー画面などを表示する。
【０００３】
本明細書において、外部メディアとは、ＵＳＢポートなどの各種の規格の通信ポートに外付けで装着可能な不揮発性の記憶媒体、および、装置に内蔵あるいは外付けで接続されるディスクドライブやカードスロットにセット可能な不揮発性の記憶媒体を意味する。例えば、ＵＳＢメモリーやＳＤカードなどのフラッシュメモリー、外付けＨＤＤ、外付けＳＳＤなどを含む。また、ＣＤやＤＶＤなどの光学ディスクを含んでいてもよい。
【０００４】
特許文献１には、外部メディアを着脱可能な画像処理装置が開示される。特許文献１の画像処理装置は、コピー機能および印刷機能を備える複合機である。この画像処理装置は複数のＵＳＢメモリーを着脱可能であり、ＵＳＢメモリーが装着されたか否かをＵＳＢホストＩ／Ｆ部を介して判断する。新たにＵＳＢメモリーが装着された場合、装着されたＵＳＢメモリーと通信を行い、装着されたＵＳＢメモリーの情報をアドレス帳に登録して、画像データの送信先リストとして表示する。
【先行技術文献】
【特許文献】
【０００５】
【特許文献１】特開２０１２−７０４３２号公報
【発明の概要】
【発明が解決しようとする課題】
【０００６】
外部メディアを着脱可能な受部（例えば、ＵＳＢポートやカードスロットなど）を備える装置では、受部に外部メディアを装着したまま電源のオンオフが行われた場合、電源オン時に外部メディアの認識が行われるため、電源オン時にその都度、外部メディアが新たに装着された場合と同じ通知を行う。しかしながら、電源オン時にユーザーが新たに外部メディアを装着したのであればこのような通知を行うことに問題はないが、電源オフ時からずっと外部メディアが装着されたままになっている場合がある。例えば、共用の外部メディアにデータを蓄積するために、この外部メディアを装着したままになっている場合がある。このような場合、電源オン時に新たに外部メディアを装着したわけではないので、電源オン時にその都度装着通知を行うことは不必要であり、ユーザーの操作を阻害するおそれがある。
【０００７】
本発明の課題は、このような点に鑑みて、より良い装置を提案することにある。
【課題を解決するための手段】
【０００８】
上記の課題を解決するために、本発明の外部メディア処理装置は、外部メディアを着脱可能な受部と、前記外部メディアの識別情報を記憶する記憶部と、起動時に前記受部に装着されている前記外部メディアの識別情報が、前記記憶部が記憶している識別情報と同一であるか否かの判断を行う判断部と、起動時に前記受部に装着されている前記外部メディアの識別情報が、前記記憶部が記憶している識別情報と同一である場合は前記外部メディアの装着通知を行わず、同一でない場合は前記装着通知を行う通知部と、を備えることを特徴とする。
【０００９】
また、上記の課題を解決するために、本発明は、受部に装着された外部メディアと通信可能なコンピューターを動作させるプログラムであって、コンピューターの起動時に前記受部に装着されている前記外部メディアと通信を行い、該外部メディアの識別情報が、予め記憶している識別情報と同一であるか否かの判断を行う判断処理と、コンピューターの起動時に前記受部に装着されている前記外部メディアの識別情報が、記憶部が記憶している識別情報と同一である場合は前記外部メディアの装着通知を行わず、同一でない場合は前記装着通知を行う通知処理と、をコンピューターに実行させることを特徴とする。
【００１０】
本発明によれば、起動時に外部メディアが装着されている場合、当該外部メディアの識別情報に基づいて当該外部メディアの装着通知を行うか否かを判断する。すなわち、記憶部に記憶されている識別情報と一致する識別情報を持つ外部メディアについては、装着通知を行わない。これにより、起動前と同じ外部メディアが装着されている場合には装着通知を行わないようにすることができる。一方、起動前と異なる外部メディアが装着されている場合には装着通知を行うことができる。従って、起動時に不必要な装着通知を行わないようにすることができるので、ユーザーの操作を阻害するおそれを少なくすることができる。また、不必要な装着通知のみ省略でき、必要な装着通知を省略しないようにすることができる。
【００１１】
本発明において、前記識別情報は、前記外部メディアに記憶されるデータファイルのチェックサムである。このようにすると、外部メディアに記憶されるデータファイルの内容が同一か否かに基づいて同一の外部メディアか否かを判断することができる。従って、データファイルの内容に変化がない場合は、装着通知を行わないようにすることができる。
【００１２】
本発明において、前記通知部は、通常動作中に前記外部メディアが新たに装着された場合は、前記装着通知を行うことが望ましい。このようにすると、必要な装着通知が省略されないようにすることができる。
【００１３】
本発明において、前記受部を複数備え、前記記憶部は、前記受部に対応付けて前記識別情報を記憶し、前記判断部は、前記受部毎に前記判断を行うことが望ましい。このようにすると、外部メディア毎に装着通知が必要か否か判断できる。従って、必要な装着通知を省略することなく、不必要な装着通知のみを行わないようにすることができる。
【００１４】
本発明において、電源オフ時に、前記受部に装着されている前記外部メディアの前記識別情報を前記記憶部に記憶させることが望ましい。このようにすると、起動時に装着通知を行うか否か判断するために必要な情報を保持することができる。
【図面の簡単な説明】
【００１５】
【図１】本発明を適用した外部メディア処理装置のブロック図である。
【図２】制御部の機能ブロック図である。
【図３】電源オフ時の制御を示すフローチャートである。
【図４】電源オン時の外部メディアの装着通知のフローチャートである。
【発明を実施するための形態】
【００１６】
以下に、図面を参照して、本発明を適用した外部メディア処理装置の実施形態を説明する。
【００１７】
図１は本発明を適用した外部メディア処理装置１のブロック図である。外部メディア処理装置１は、印刷機構１０および光学式のスキャナーユニット２０を備えた複合機であり、各種の設定や操作を行うための操作部３０と、外部メディア２を着脱可能に装着することのできる受部４０を備える。操作部３０は、液晶表示画面を備えた操作パネルである。また、操作部３０は、液晶表示画面をタッチしてタッチ入力を行うタッチパネルを備えていてもよい。また、タッチパネルに加えて、あるいは、タッチパネルに代えて、他の入力部や表示部を備えていてもよい。例えば、操作キーやスイッチ、ＬＥＤランプ等を備えていても良い。
【００１８】
外部メディア処理装置１は、印刷機構１０およびスキャナーユニット２０を制御して原稿の読取りや印刷を行う制御部５０を備える。制御部５０は、操作部３０からの操作入力に基づき、スキャナーユニット２０で原稿をスキャンして生成した画像データを印刷機構１０で印刷することにより、原稿をコピーする。また、制御部５０は、外部から印刷ジョブデータを受信し、受信した印刷ジョブデータに基づいて印刷機構１０を制御し、印刷ジョブデータで指示された内容の印刷を行う。また、スキャナーユニット２０で原稿をスキャンして生成した画像データを操作部３０から入力された送信先に送信するとともに、受信したＦＡＸデータを印刷するＦＡＸ機能を備えていてもよい。
【００１９】
外部メディア処理装置１は、受部４０を複数備える。複数の受部４０は、それぞれ、外部メディア２が装着されたことを検知して制御部５０に通知するＩ／Ｆ部４１を備える。受部４０にセットされた外部メディア２はＩ／Ｆ部４１と接続される。Ｉ／Ｆ部４１は、接続された外部メディア２の種類等を検知する。また、Ｉ／Ｆ部４１は、受部４０から外部メディア２が取り外された場合は、そのことを検知して制御部５０へ通知する。制御部５０は、Ｉ／Ｆ部４１を介して外部メディア２と通信を行い、外部メディア２から情報を取得する。例えば、外部メディア２のメディア名や記憶しているデータファイルの情報、更新日時などの情報を取得する。
【００２０】
制御部５０は、操作部３０からの操作入力に基づき、Ｉ／Ｆ部４１を介して外部メディア２から画像データを読み出し、読み出した画像データを印刷する。また、制御部５０は、外部メディア２がデータを書き込み可能である場合は、Ｉ／Ｆ部４１を介して外部メディア２にデータを書き込む。例えば、スキャナーユニット２０で原稿をスキャンして生成した画像データを外部メディア２に書き込む。また、他のデータを外部メディア２に書き込んでもよい。例えば、ＦＡＸデータから生成した画像データを外部メディア２に書き込んでもよい。
【００２１】
外部メディア２は、不揮発性の記憶媒体である。例えば、上述したように、ＵＳＢメモリーやＳＤカードなどのフラッシュメモリーを用いた記憶媒体、あるいは、外付けＨＤＤや外付けＳＳＤなどの記憶媒体である。また、外部メディア２は、光学ディスクであってもよい。受部４０は、外部メディア２の種類に応じた構成であり、例えば、ＵＳＢポートなどの通信ポートや、ＳＤカードを装着可能なカードスロットである。また、受部４０は、光学ドライブであってもよい。複数の受部４０は、異なる構成のものを含んでいてもよい。例えば、複数の受部４０は、ＵＳＤポートとカードスロットを含んでいてもよい。
【００２２】
制御部５０は、ＣＰＵ５１、不揮発性メモリーであるＲＯＭ５２、揮発性メモリーであるＲＡＭ５３を備える。また、制御部５０は、ＣＰＵ５１に代えて、又はＣＰＵ５１に加えてＡＳＩＣや信号処理回路等を１つ又は複数備えていてもよい。これらＣＰＵ５１やＡＳＩＣや信号処理回路等を総称して、プロセッサーとも呼ぶ。あるいは、受信したデータや原稿をスキャンしたデータを蓄積するＨＤＤを備えていても良い。制御部５０は、例えばＣＰＵ５１が、ＲＯＭ５２、ＲＡＭ５３に記憶されたファームウェア等のプログラムを読み出して処理を実行し、また例えばＡＳＩＣに実装された機能により処理を実行し、また例えば信号処理回路で信号処理を行って処理を実行する等、ハードウェアとソフトウェアとの協働により各種の処理を実行する。
【００２３】
図２は制御部５０の機能ブロック図である。制御部５０は、不揮発性メモリーに設けられた記憶領域である記憶部５４を備える。また、制御部５０は、ファイル管理部５５と、識別情報管理部５６と、判断部５７と、通知部５８を備える。これらの機能は、ＲＯＭ５２に記憶されたプログラムをＣＰＵ５１が実行することにより実現される。ファイル管理部５５は、外部メディア２に対するファイルアクセスを行うものであり、例えば、ＦＡＴファイルシステムを扱うことができる。外部メディア２には、ＦＡＴファイルシステムのフォーマットに従ってデータが記録される。なお、外部メディア２にＦＡＴファイスシステム以外のファイルシステムに従ってデータが記録される場合は、ファイル管理部５５が当該ファイスシステムを扱うことができるものとする。
【００２４】
記憶部５４は、外部メディア２の識別情報を記憶する記憶領域である。識別情報管理部５６は、外部メディア処理装置１の電源オフ時に識別情報保存処理を行う。識別情報保存処理は、受部４０に装着された外部メディア２の情報に基づいて識別情報を生成して記憶部５４に記憶させる処理である。識別情報保存処理は、受部４０に装着された外部メディア２の情報をそのまま識別情報として記憶部５４に記憶させる処理であってもよい。本形態では、複数の受部４０を備える。従って、装着されている外部メディア２の識別情報を装着されている受部４０に対応付けて記憶する。例えば、受部４０として複数の通信ポートを備える場合、通信ポートごとに外部メディア２の装着を検知し、通信ポートごとに外部メディア２の識別情報を記憶する。
【００２５】
（電源オフ時の制御）
図３は電源オフ時の制御を示すフローチャートである。制御部５０は、外部メディア処理装置１の電源をオフにする操作が行われると、図３のフローチャートの処理を開始する。識別情報管理部５６は、ステップＳＴ１１〜ＳＴ１２において、上述した識別情報保存処理を行う。まず、ステップＳＴ１１において、外部メディア２の装着の有無を判定する。外部メディア２が装着された受部４０が少なくとも１つある場合は（ステップＳＴ１１：Ｙｅｓ）、ステップＳＴ１２に進む。ステップＳＴ１２では、識別情報管理部５６は、受部４０に装着された外部メディア２から識別情報を取得し、取得した識別情報を、当該外部メディア２が装着された受部４０と対応付けて記憶部５４に記憶させる。例えば、通信ポートに装着された外部メディア２の識別情報を取得し、この識別情報を、当該通信ポート番号と対応付けて記憶部５４に記憶させる。ステップＳＴ１２では、識別情報管理部５６は、複数の受部４０に外部メディア２が装着されている場合には、それぞれの受部４０毎にこの処理を行う。そして、ステップＳＴ１３に進む。
【００２６】
ステップＳＴ１３では、制御部５０は、外部メディア処理装置１の電源を安全にオフにするための電源オフ処理を行う。例えば、実行中の動作やプログラムを終了させ、しかる後に外部メディア処理装置１の電源をオフにする。また、ステップＳ１１で外部メディア２が１つも検出されない場合（ステップＳＴ１１：Ｎｏ）、ステップＳＴ１３に進む。すなわち、外部メディア２が１つも装着されていない場合、識別情報を記憶部５４に記憶させずに電源オフ処理を行う。
【００２７】
なお、識別情報管理部５６は、外部メディア処理装置１が起動すると、所定のタイミングで記憶部５４に記憶されている識別情報をクリアする。例えば、外部メディア処理装置１の起動時に外部メディア２の装着を検出し、外部メディア２が装着されていない受部４０に対応づけられた識別情報がある場合は、この識別情報を削除する。また、通常動作中に外部メディア２が取り外されたことが検出された場合、外部メディア２の取り外しが検出された受部４０に対応づけられた識別情報がある場合は、この識別情報を削除する。
【００２８】
識別情報は、例えば、外部メディア２に記憶されているデータファイルのファイル構成、外部メディア２のメディア名、更新日時であったり、これらから生成した情報であったり、それらを組み合わせた情報である。生成は、例えばチェックサムの計算やハッシュ値の計算である。ファイル構成は、外部メディア処理装置１が扱う種類のデータファイルのみについてのファイル構成であってもよい。例えば、外部メディア処理装置１がＪＰＥＧファイルのみを扱うことができる場合に、識別情報管理部５６は、外部メディア２に記憶されるデータファイルの中から、ＪＰＥＧファイルを注出する。そして、外部メディア２のメディア名および更新日時と共に、注出したＪＰＥＧファイルごとに生成したチェックサムの羅列を識別情報として記憶部５４に記憶させる。仮に、外部メディア２のメディア名が「media01」であり更新日時が「2017/01/01」であり、記憶されているファイルが２つでありそれぞれのチェックサムが「67」と「89」であれば、「media01-2017/01/01-67-89」を識別情報として取得してもよいし、単に「media01-2017/01/01」を識別情報として取得してもよい。
【００２９】
判断部５７は、外部メディア処理装置１が電源オン操作により起動する際、受部４０に外部メディア２が装着されていることを検出した場合に、当該外部メディア２から取得した識別情報と、記憶部５４に記憶されている識別情報とが同一であるか否かの判断処理を行う。例えば、外部メディア処理装置１の起動時に複数の通信ポートを通信可能にする処理が行われるが、その際、通信ポートへの外部メディア２の装着が検出された場合は、判断部５７は、当該通信ポートに対応付けられた識別情報を記憶部５４から読み出す。そして、記憶部５４から読み出した識別情報と、通信ポートへの装着が検出された外部メディア２から取得した識別情報とを照合して同一であるか否かの判断を行う。
【００３０】
通知部５８は、受部４０に新たに外部メディア２が装着されたことがＩ／Ｆ部４１から通知されると、所定の装着通知を行う。例えば、操作部３０の液晶表示画面に、外部メディア２が装着されたことの通知メッセージを表示する。あるいは、外部メディア２に記憶されるデータファイルを使用するためのメニュー表示や、データファイルを選択するための選択ウィンドウを液晶表示部に表示する。また、装着通知は、これら以外の表示であってもよいし、スピーカーを備えている場合に装着音を鳴らすなど、視覚以外での通知であってもよい。
【００３１】
通知部５８は、起動時以外のタイミング、すなわち、通常動作中に新たな外部メディア２の装着が検出された場合は装着通知を行う。一方、起動時に外部メディア２の装着が検出された場合は、以下に説明するように、判断部５７から受け渡された識別情報の照合結果に基づいて装着通知を行うか否か決定する。
【００３２】
（電源オン時の装着通知）
図４は電源オン時の外部メディア２の装着通知のフローチャートである。制御部５０は、外部メディア処理装置１の電源をオンにする操作が行われると、外部メディア処理装置１の起動処理を行う。上述したように、起動処理は、受部４０を使用可能にする処理を含む。従って、受部４０に外部メディア２が装着されていればそのことが検出される。判断部５７は、外部メディア処理装置１の起動処理中に、受部４０への外部メディア２への装着を検出すると、図４の処理を開始する。
【００３３】
判断部５７は、ステップＳＴ２１〜ＳＴ２３において、受部４０に装着されている外部メディア２から取得した識別情報と、記憶部５４に記憶されている識別情報とが同一であるか否かの判断（識別情報の照合）を行う。まず、ステップＳＴ２１において、外部メディア２の装着が検出された受部４０が、電源オフ時と同じ受部４０であるか否かを判定する。例えば、外部メディア２が検出された通信ポートが、電源オフ時に外部メディア２が装着されていた通信ポートである否かを判定する。ステップＳＴ２１の判定は、例えば、記憶部５４に記憶されている識別情報に基づいて行う。すなわち、記憶部５４に記憶された情報は、識別情報と受部４０とが対応づけられた情報である。従って、起動時に外部メディア２の装着が検出された受部４０が、識別情報が記憶されている受部４０と一致するか否かを判定することができる。一致する場合は（ステップＳＴ２１：Ｙｅｓ）、ステップＳＴ２２に進む。
【００３４】
ステップＳＴ２２では、判断部５７は、起動時に検出された外部メディア２から識別情報を取得する。続いて、ステップＳＴ２３では、受部４０毎に、ステップＳＴ２２で取得した識別情報と、記憶部５４から読み出した識別情報とが同一であるか否かを判定する。同一である場合は（ステップＳＴ２３：Ｙｅｓ）、ステップＳＴ２４に進む。ステップＳＴ２４では、通知部５８は、識別情報が一致した外部メディア２の装着通知を行わないと決定する。一方、ステップＳＴ２２で取得した識別情報と、記憶部５４から読み出した識別情報とが異なっている場合は（ステップＳＴ２３：Ｎｏ）、ステップＳＴ２５に進む。
【００３５】
ステップＳＴ２５では、通知部５８は、外部メディア２の装着通知を行うと決定し、装着通知を実行する。つまり、電源オフ時と起動時で外部メディア２の識別情報（名称やデータ構成等）が異なっている場合は、通知部５８は、装着通知を行う。また、ステップＳＴ２１において、外部メディア２の装着が検出された受部４０が、電源オフ時と同じでないと判定された場合（ステップＳＴ２１：Ｎｏ）もステップＳＴ２５に進んで装着通知を行う。つまり、電源オフの間に、ユーザーが外部メディア２がもともと刺さっていた受部４０から別の受部４０に移動させた場合も、装着通知を行う。
【００３６】
（本形態の主な作用効果）
以上のように、本形態の外部メディア処理装置１は、電源オフ時に受部４０に装着されている外部メディア２の識別情報を記憶部５４に記憶させる。そして、起動時には、記憶部５４に記憶されている外部メディア２の識別情報に基づいて外部メディア２の装着通知を行うか否かを決定する。すなわち、記憶部５４から読み出した識別情報と、起動時に検出された外部メディア２から取得した識別情報とが同一である場合は、電源オフ時に受部４０に装着されていた外部メディア２が、そのまま同じ受部４０に装着されていることを意味する。従って、このような場合は装着通知を行わないものとする。これにより、装着したまま使用している外部メディア２について起動時に毎回装着通知が行われないようにすることができる。よって、不必要な装着通知によってユーザーの操作が阻害されないようにすることができる。また、電源オフ中に外部メディア２を新たに装着したり、電源オフ中に異なる外部メディア２と交換したりした場合や、外部メディア２に記憶されているデータ内容の変更を行った場合は、識別情報が一致しなくなるため、装着通知が行われる。従って、交換やデータの変更を行った外部メディア２を使用する際の利便性を損なわないようにすることができる。よって、不必要な装着通知のみ省略でき、必要な装着通知を省略しないようにすることができる。
【００３７】
本形態では、外部メディア２の識別情報として、外部メディア２に記憶されるデータファイルのチェックサムを用いる。従って、外部メディア２に記憶されるデータファイルの内容が同一か否かに基づいて同一の外部メディア２か否かを判断することができる。よって、データファイルの内容に変化がない場合は装着通知を行わないようにすることができる。
【００３８】
本形態では、通常動作中に外部メディア２が新たに装着された場合は、装着通知を行う。従って、必要な装着通知を省略せずに行うことができるため、外部メディア２を使用する際の利便性を低下させないようにすることができる。ただし、ユーザーの設定操作次第で装着通知を行わないように設定できてもよい。
【００３９】
本形態では、外部メディアを装着可能な受部４０を複数備える場合には、電源オフ時には受部４０に対応付けて識別情報を記憶し、起動時には受部４０毎に識別情報の同一性判断を行う。従って、外部メディア２毎に装着通知が必要か否か判断できるため、必要な装着通知を省略することなく、不必要な装着通知のみを行わないようにすることができる。
【００４０】
本形態では、電源オフ時に、受部４０に装着されている外部メディア２の識別情報を受部４０毎に記憶部５４に記憶させる処理を行うので、起動時に装着通知を行うか否か判断するために必要な情報を保持することができる。
【００４１】
なお、識別情報管理部５６は、受部４０に装着されている外部メディア２の識別情報を受部４０毎に記憶部５４に記憶させる処理を、電源オフ時以外のタイミングで行うこともできる。例えば、通常動作中に外部メディア２が装着あるいはその内容が変更される毎に、識別情報を記憶部５４に記憶させることもできる。また、外部メディア２の取り外しが検出された場合には、取り外された外部メディア２の識別情報を記憶部５４から削除する。このようにした場合でも、起動時に必要な識別情報を受部４０毎に記憶部５４に記憶させることができる。
【００４２】
（他の実施形態）
上記形態は、複合機に本発明を適用したものであったが、本発明は外部メディア２を着脱可能な受部を備える各種の装置に適用することができる。例えば、ＵＳＢポートやカードスロットを持つ単機能のプリンターや単機能のスキャナー装置に本発明を適用することができる。また、各種のコンピューター装置やコンピューター装置が実行する方法やコンピューター装置を動作させるプログラムに本発明を適用することもできる。
【符号の説明】
【００４３】
１…外部メディア処理装置、２…外部メディア、１０…印刷機構、２０…スキャナーユニット、３０…操作部、４０…受部、４１…Ｉ／Ｆ部、５０…制御部、５１…ＣＰＵ、５、…ＲＯＭ、５３…ＲＡＭ、５４…記憶部、５５…ファイル管理部、５６…識別情報管理部、５７…判断部、５８…通知部
【図１】
2018124611.tif 000003
【図２】
2018124611.tif 000004
【図３】
2018124611.tif 000005
【図４】
2018124611.tif 000006